(57)【要約】      （修正有）【課題】帽子の鍔部を円滑に折り畳むことができるので帽子を携帯する場合や帽子を小さい保管スペースに保管する場合に便利な鍔部折り畳み可能帽子を提供する。【解決手段】鍔部折り畳み可能帽子１０は帽子本体１２と、帽子本体１２と鍔部１４とから構成されている。鍔部１４は独立した鍔部構成中央片２０と鍔部構成第１側片２２と鍔部構成第２側片２４から構成されている。鍔部構成中央片２０の一側には鍔部構成第１側片２２が並んで配設され、鍔部構成中央片２０の他側には鍔部構成第２側片２４が並んで配設されている。前記鍔部構成中央片２０の一側と鍔部構成第１側片２２の一側の間には第１ヒンジ布が跨って配設され、鍔部構成中央片２０の他側と鍔部構成第２側片２４の一側の間には第２ヒンジ布が跨って配設されている。【選択図】図１
0003180943.tif 000002
【実用新案登録請求の範囲】
【請求項１】
帽子本体と、この帽子本体に帽子本体の周方向に沿って突設されると共に互いに独立して形成された複数の鍔部構成片から成る鍔部と、を備えてなる鍔部折り畳み可能帽子であって、
前記鍔部を構成すると共に前記帽子本体に突出して設けられた鍔部構成中央片と、
この鍔部構成中央片と前記鍔部を構成すると共に前記鍔部構成中央片の一側に隣り合った状態で帽子本体に突出して設けられた鍔部構成第１側片と、
前記鍔部構成中央片及び前記鍔部構成第１側片と前記鍔部を構成すると共に前記鍔部構成中央片の他側に隣り合った状態で帽子本体に突出して設けられた鍔部構成第２側片と、
前記鍔部構成中央片と前記鍔部構成第１側片に跨るように配設されると共に隣り合う前記鍔部構成中央片と前記鍔部構成第１側片を連結する第１ヒンジシート体と、
前記鍔部構成中央片と前記鍔部構成第２側片に跨るように配設されると共に隣り合う前記鍔部構成中央片と前記鍔部構成第２側片を連結する第２ヒンジシート体と、を有してなることを特徴とする鍔部折り畳み可能帽子。
【請求項２】
帽子本体と、この帽子本体に帽子本体の周方向に沿って突設されると共に互いに独立して形成された複数の鍔部構成片から成る鍔部と、を備えてなる鍔部折り畳み可能帽子であって、
前記鍔部を構成すると共に前記帽子本体に突出して設けられた鍔部構成中央片と、
この鍔部構成中央片と前記鍔部を構成すると共に前記鍔部構成中央片の一側に隣り合った状態で帽子本体に突出して設けられた鍔部構成第１側片と、
前記鍔部構成中央片及び前記鍔部構成第１側片と前記鍔部を構成すると共に前記鍔部構成中央片の他側に隣り合った状態で帽子本体に突出して設けられた鍔部構成第２側片と、
前記鍔部構成中央片の一側と前記鍔部構成第１側片の一側に跨るように配設されると共に隣り合う前記鍔部構成中央片と前記鍔部構成第１側片を連結する第１ヒンジシート体と、
前記鍔部構成中央片の他側と前記鍔部構成第２側片の一側に跨るように配設されると共に隣り合う前記鍔部構成中央片と前記鍔部構成第２側片を連結する第２ヒンジシート体と、を有してなることを特徴とする鍔部折り畳み可能帽子。
【請求項３】
帽子本体と、この帽子本体に帽子本体の周方向に沿って突設されると共に互いに独立して形成された複数の鍔部構成片から成る鍔部と、を備えてなる鍔部折り畳み可能帽子であって、
前記鍔部を構成すると共に前記帽子本体に突出して設けられた鍔部構成中央片と、
この鍔部構成中央片と前記鍔部を構成すると共に前記鍔部構成中央片の一側に隣り合った状態で帽子本体に突出して設けられた鍔部構成第１側片と、
前記鍔部構成中央片及び前記鍔部構成第１側片と前記鍔部を構成すると共に前記鍔部構成中央片の他側に隣り合った状態で帽子本体に突出して設けられた鍔部構成第２側片と、
前記鍔部構成中央片の一側と前記鍔部構成第１側片の一側に跨るように前記鍔部構成中央片及び前記鍔部構成第１側片の下面に配設されると共に隣り合う前記鍔部構成中央片と前記鍔部構成第１側片を連結する平面視矩形状の第１ヒンジシート体と、
前記鍔部構成中央片の他側と前記鍔部構成第２側片の一側に跨るように前記鍔部構成中央片及び前記鍔部構成第２側片の下面に配設されると共に隣り合う前記鍔部構成中央片と前記鍔部構成第２側片を連結する平面視矩形状の第２ヒンジシート体と、を有してなることを特徴とする鍔部折り畳み可能帽子。
【考案の詳細な説明】
【技術分野】
【０００１】
本考案は、帽子に関し、詳しくは鍔部を容易に折り畳むことができる鍔部折り畳み可能帽子に関する。
【背景技術】
【０００２】
サンバイザー、キャップ等の帽子は、帽子本体と帽子本体の前部に突出した鍔部から構成されている。
ところで、一般的に前記帽子本体は柔らかい素材の布等で形成されているのに対し、鍔部は芯材が内蔵されているために比較的の固く形成されている。
このため、帽子を被らないで携帯する場合や帽子を小さい保管スペースに保管したい場合に帽子をコンパクトに折り畳もうとしても鍔部を円滑にコンパクトに折り畳むことができず、帽子が嵩張り携帯や保管に不便であるという不具合がある。
【考案の概要】
【考案が解決しようとする課題】
【０００３】
本考案は、上記事実に鑑みなされたものであり、帽子の鍔部を円滑に折り畳むことができるので、帽子を携帯する場合や帽子を小さい保管スペースに保管する場合に帽子をコンパクトに折り畳んで携帯したり保管したりすることができる鍔部折り畳み可能帽子を提供するものである。
【課題を解決するための手段】
【０００４】
請求項１の考案は、帽子本体と、この帽子本体に帽子本体の周方向に沿って突設されると共に互いに独立して形成された複数の鍔部構成片から成る鍔部と、を備えてなる鍔部折り畳み可能帽子であって、
前記鍔部を構成すると共に前記帽子本体に突出して設けられた鍔部構成中央片と、
この鍔部構成中央片と前記鍔部を構成すると共に前記鍔部構成中央片の一側に隣り合った状態で帽子本体に突出して設けられた鍔部構成第１側片と、
前記鍔部構成中央片及び前記鍔部構成第１側片と前記鍔部を構成すると共に前記鍔部構成中央片の他側に隣り合った状態で帽子本体に突出して設けられた鍔部構成第２側片と、
前記鍔部構成中央片と前記鍔部構成第１側片に跨るように配設されると共に隣り合う前記鍔部構成中央片と前記鍔部構成第１側片を連結する第１ヒンジシート体と、
前記鍔部構成中央片と前記鍔部構成第２側片に跨るように配設されると共に隣り合う前記鍔部構成中央片と前記鍔部構成第２側片を連結する第２ヒンジシート体と、を有してなることを特徴としている。
請求項２の考案は、帽子本体と、この帽子本体に帽子本体の周方向に沿って突設されると共に互いに独立して形成された複数の鍔部構成片から成る鍔部と、を備えてなる鍔部折り畳み可能帽子であって、
前記鍔部を構成すると共に前記帽子本体に突出して設けられた鍔部構成中央片と、
この鍔部構成中央片と前記鍔部を構成すると共に前記鍔部構成中央片の一側に隣り合った状態で帽子本体に突出して設けられた鍔部構成第１側片と、
前記鍔部構成中央片及び前記鍔部構成第１側片と前記鍔部を構成すると共に前記鍔部構成中央片の他側に隣り合った状態で帽子本体に突出して設けられた鍔部構成第２側片と、
前記鍔部構成中央片の一側と前記鍔部構成第１側片の一側に跨るように配設されると共に隣り合う前記鍔部構成中央片と前記鍔部構成第１側片を連結する第１ヒンジシート体と、
前記鍔部構成中央片の他側と前記鍔部構成第２側片の一側に跨るように配設されると共に隣り合う前記鍔部構成中央片と前記鍔部構成第２側片を連結する第２ヒンジシート体と、を有してなることを特徴としている。
請求項３の考案は、帽子本体と、この帽子本体に帽子本体の周方向に沿って突設されると共に互いに独立して形成された複数の鍔部構成片から成る鍔部と、を備えてなる鍔部折り畳み可能帽子であって、
前記鍔部を構成すると共に前記帽子本体に突出して設けられた鍔部構成中央片と、
この鍔部構成中央片と前記鍔部を構成すると共に前記鍔部構成中央片の一側に隣り合った状態で帽子本体に突出して設けられた鍔部構成第１側片と、
前記鍔部構成中央片及び前記鍔部構成第１側片と前記鍔部を構成すると共に前記鍔部構成中央片の他側に隣り合った状態で帽子本体に突出して設けられた鍔部構成第２側片と、
前記鍔部構成中央片の一側と前記鍔部構成第１側片の一側に跨るように前記鍔部構成中央片及び前記鍔部構成第１側片の下面に配設されると共に隣り合う前記鍔部構成中央片と前記鍔部構成第１側片を連結する平面視矩形状の第１ヒンジシート体と、
前記鍔部構成中央片の他側と前記鍔部構成第２側片の一側に跨るように前記鍔部構成中央片及び前記鍔部構成第２側片の下面に配設されると共に隣り合う前記鍔部構成中央片と前記鍔部構成第２側片を連結する平面視矩形状の第２ヒンジシート体と、を有してなることを特徴としている。
【考案の効果】
【０００５】
本考案の鍔部折り畳み可能帽子は、鍔部が複数の鍔部構成片から構成されているため鍔部を小さく折り畳むことにより鍔部折り畳み可能帽子をコンパクトにでき、携帯する場合や小さい保管スペースに保管する場合に便利であるという優れた効果を有する。
また、本考案の鍔部折り畳み可能帽子は、複数の鍔部構成片をヒンジシート体で連結しているので複数の鍔部構成片を折り畳み易いという優れた効果を有する。
【図面の簡単な説明】
【０００６】
【図１】第１実施例の鍔部折り畳み可能帽子の全体斜視図である。
【図２】第１実施例の鍔部折り畳み可能帽子の分解斜視図である。
【図３】第１実施例の鍔部折り畳み可能帽子の底面図である。
【図４】第１実施例の鍔部折り畳み可能帽子の鍔部を折り畳んだ状態の上方からの斜視図である。
【図５】第２実施例の鍔部折り畳み可能帽子の全体斜視図である。
【考案を実施するための形態】
【０００７】
考案を実施するために最良の形態の例として以下のような実施例を示す。
【実施例１】
【０００８】
図１〜図４には本考案に係る鍔部折り畳み可能帽子の第１実施例が示されている。なお、第１実施例では本考案に係る鍔部折り畳み可能帽子をサンバイザータイプの帽子に適用した場合を例にして説明する。
図１に示されるように、鍔部折り畳み可能帽子１０は帽子着用者の頭部に被られる帽子本体１２と、この帽子本体１２の下部前部に突出して設けられた鍔部１４とから構成されている。
前記鍔部折り畳み可能帽子１０はサンバイザータイプであるので前記帽子本体１２は平面視略Ｕ字状に形成されている。
前記帽子本体１２の一側部１２Ａには調節バンド１６の一端部１６Ａが固定され、帽子本体１２の他側部１２Ｂには調節バンド１６の他端部１６Ｂが固定されている。
図２に示されるように、前記鍔部１４はそれぞれ独立して形成された鍔部構成片としての鍔部構成中央片２０と、鍔部構成片としての鍔部構成第１側片２２と、鍔部構成片としての鍔部構成第２側片２４の３片から構成されている。
前記鍔部構成中央片２０の一側２０Ａには鍔部構成第１側片２２が並んで配設され、鍔部構成中央片２０の他側２０Ｂには鍔部構成第２側片２４が並んで配設されている。
これら鍔部構成中央片２０、鍔部構成第１側片２２、鍔部構成第２側片２４は板状の芯材３０と、この芯材３０の上面に貼付された鍔部上布３２と、芯材３０の下面に貼付された鍔部下布３４（図３参照）によって形成されている。
また、前記鍔部構成中央片２０の一側２０Ａと他側２０Ｂ、鍔部構成第１側片２２の一側２２Ａ、鍔部構成第２側片２４の一側２４Ａにはパイピング布３６によってそれぞれパイピング加工が施されている。
図２及び図３に示されるように、前記鍔部構成中央片２０の一側２０Ａと鍔部構成第１側片２２の一側２２Ａの間にはヒンジシート体としての第１ヒンジ布４０が鍔部構成中央片２０と鍔部構成第１側片２２を跨って配設されている。また、鍔部構成中央片２０の他側２０Ｂと鍔部構成第２側片２４の一側２４Ａの間にはヒンジシート体としての第２ヒンジ布４２が鍔部構成中央片２０と鍔部構成第２側片２４を跨って配設されている。これら第１ヒンジ布４０と第２ヒンジ布４２は平面視矩形状の布で形成されている。
第１ヒンジ布４０の一側４０Ａは前記鍔部構成第１側片２２の一側２２Ａと縫着され、第１ヒンジ布４０の他側４０Ｂは前記鍔部構成中央片２０の一側２０Ａと縫着されている。同様に第２ヒンジ布４２の一側４２Ａは前記鍔部構成中央片２０の他側２０Ｂと縫着され、第２ヒンジ布４２の他側４２Ｂは鍔部構成第２側片２４の他側２４Ａと縫着されている。
この結果、鍔部構成中央片２０と鍔部構成第１側片２２は第１ヒンジ布４０を介して連結され、鍔部構成中央片２０と鍔部構成第２側片２４は第２ヒンジ布４２を介して連結されている。
しかも、第１ヒンジ布４０、第２ヒンジ布４２は芯材が内蔵されていないので、第１ヒンジ布４０、第２ヒンジ布４２は容易に折り曲げることができるのため、図４に示されるように容易に前記鍔部構成第１側片２２と前記鍔部構成第２側片２４を折り畳むことができる。
図１に示されるように、前記鍔部１４の基端部１４Ａは前記帽子本体１２と逢着されている。
また、前記帽子本体１２の外縁部と鍔部１４の外縁部は縁取布４４で縁取りされている。
【０００９】
次に、第１実施例の鍔部折り畳み可能帽子１０の作用を説明する。
前記鍔部折り畳み可能帽子１０を着用する場合は、帽子本体１２を帽子着用者の頭部に被ることにより鍔部折り畳み可能帽子１０を着用することができる。
鍔部折り畳み可能帽子１０を着用した場合に前記第１ヒンジ布４０、第２ヒンジ布４２は鍔部１４の下面に位置するので、第三者から第１ヒンジ布４０、第２ヒンジ布４２は見え難く第１ヒンジ布４０、第２ヒンジ布４２は目立たないので、鍔部折り畳み可能帽子１０の外観品質が低下することはない。
また、前記鍔部折り畳み可能帽子１０を折り畳む場合、前記鍔部１４を構成する鍔部構成中央片２０と鍔部構成第１側片２２は第１ヒンジ布４０によって連結され、鍔部構成中央片２０と鍔部構成第２側片２４は第２ヒンジ布４２によって連結されている。
従って、図４に示されるように前記第１ヒンジ布４０、第２ヒンジ布４２を介して前記鍔部構成第１側片２２と前記鍔部構成第２側片２４を折り畳むことができる。
しかも、前記第１ヒンジ布４０、第２ヒンジ布４２は布で形成され芯材等は内蔵されていないので、前記鍔部構成第１側片２２と前記鍔部構成第２側片２４を容易に折り畳むことができる。
この結果、鍔部１４を簡単に小さくすることができるので帽子本体１２を折り畳むことにより鍔部折り畳み可能帽子１０をコンパクトにすることができ、鍔部折り畳み可能帽子１０は嵩張らず携帯する場合や小さい保管スペースに保管する場合に便利である。
【００１０】
図５には鍔部折り畳み可能帽子の第２実施例が示されている。
第２実施例の鍔部折り畳み可能帽子５０はキャップタイプの帽子に適用されている。なお、第１実施例の鍔部折り畳み可能帽子１０と同一の構成は同一の符号を用いてその説明を省略する。
第２実施例の鍔部折り畳み可能帽子５０の帽子本体５２は柔らかい布等で略半球状に形成されている。従って、鍔部折り畳み可能帽子５０は帽子着用者の頭部全体を覆い隠して着用する場合に適している。
なお、他の構成及び作用、効果は第１実施例の鍔部折り畳み可能帽子１０と同一であるのでその説明を省略する。
【００１１】
なお、実施例ではヒンジシート体として布製の第１ヒンジ布４０，第２ヒンジ布４２を示したが、ヒンジシート体は合成樹脂材や薄い皮革等で形成してもよいことは勿論である。
また、実施例では鍔部構成中央片２０、鍔部構成第１側片２２、鍔部構成第２側片２４を芯材３０と、この芯材３０の上面に貼付された鍔部上布３２と、芯材３０の下面に貼付された鍔部下布３４で形成したが、鍔部構成中央片２０、鍔部構成第１側片２２、鍔部構成第２側片２４は単体の素材で形成してもよいことは勿論である。
【産業上の利用可能性】
【００１２】
本考案の鍔部折り畳み可能帽子は、サンバイザータイプ、キャップタイプ以外のタイプの帽子にも使用することができる。
【符号の説明】
【００１３】
１０    鍔部折り畳み可能帽子
１２    帽子本体
１４    鍔部
１６    調節バンド
２０    鍔部構成中央片
２２    鍔部構成第１側片
２４    鍔部構成第２側片
３０    芯材
３２    鍔部上布
３４    鍔部下布
３６    パイピング布
４０    第１ヒンジ布
４２    第２ヒンジ布
４４    縁取布
５０    鍔部折り畳み可能帽子
５２    帽子本体
【図１】
0003180943.tif 000003
【図２】
0003180943.tif 000004
【図３】
0003180943.tif 000005
【図４】
0003180943.tif 000006
【図５】
0003180943.tif 000007